(57)【要約】  【課題】  簡単な構成で、フロントパネルの形状を殆ど変更することなくこれに取り付け可能である、アースプレートの取付構造を提供する。  【解決手段】  アースプレート２は、長板状をしたステンレス或いは鉄等の導電性を有する弾性部材より成り、これを長手方向に位置する数箇所の折り曲げ部で同一方向に折り曲げ、側面視略渦巻状に形成したものである。そして、アースプレート２の一端には側面視略Ｌ字状の折り曲げ部である係合部２ａが形成されており、アースプレート２がフック１ａ後方の開口部１ａａを上側から下側へと通過してこの係合部２ａが切り欠き部１ｃと係合し、樹脂フロントパネル１の背面側上端部及び隆起部１ｂを取り囲むようにして、アースプレート２が取り付けられている。また、アースプレート２の他端はフロントパネルＦの背面側上端縁部近傍から後方に向かって斜め上方に突出している。【選択図】      図３
2006302621.tif 000002
【特許請求の範囲】
【請求項１】
樹脂フロントパネルの外側に嵌合するアルミフロントパネルと、該アルミフロントパネ
ルの後方に連設されるトップカバーとを電気的に接続するアースプレートの取付構造であ
って、
前記アルミフロントパネルの天井面より突設するリブと係合するべく、前記樹脂フロン
トパネルの前面側上端縁部より背面側へと延びるフックの、その後方に設けた開口部を前
記アースプレートが上側から下側へと通過して、前記樹脂フロントパネルの背面側上端縁
部にその一端が係合し、前記アースプレートが前記樹脂フロントパネルの背面側上端部を
取り囲むようにして取り付けられ、前記アースプレートの他端は、前記樹脂フロントパネ
ルの背面側上端縁部から後方に向かって斜め上方に突出し、
前記アースプレートの一端とこれに隣接して設けられた折り曲げ部との間に形成された
平面部に突起部を設け、該突起部により前記アルミフロントパネルの天井面を押圧するよ
うにしてなり、また前記アースプレートの他端側を二股形状とし、該各他端に突起部を設
け、該突起部により前記トップカバーの天井面を押圧するようにしてなり、
前記アースプレートの一端に隣接して設けられた折り曲げ部が鈍角となるように開いた
構成とし、これにより前記アースプレートで前記フックを押さえつけるようにしてなり、
前記アースプレートの一端に隣接して設けられた折り曲げ部近傍に切り起こし部を設け
、この切り起こし部と前記一端との間に前記樹脂フロントパネルの背面側上端部を挟み込
むようにしてなることを特徴とするアースプレートの取付構造。
【請求項２】
樹脂フロントパネルの外側に嵌合するアルミフロントパネルと、該アルミフロントパネ
ルの後方に連設されるトップカバーとを電気的に接続するアースプレートの取付構造であ
って、
前記アルミフロントパネルの天井面より突設するリブと係合するべく、前記樹脂フロン
トパネルの前面側上端縁部より背面側へと延びるフックの、その後方に設けた開口部を前
記アースプレートが上側から下側へと通過して、前記樹脂フロントパネルの背面側上端縁
部にその一端が係合し、前記アースプレートが前記樹脂フロントパネルの背面側上端部を
取り囲むようにして取り付けられ、前記アースプレートの他端は、前記樹脂フロントパネ
ルの背面側上端縁部から後方に向かって斜め上方に突出することを特徴とするアースプレ
ートの取付構造。
【請求項３】
前記アースプレートの一端とこれに隣接して設けられた折り曲げ部との間に形成された
平面部に突起部を設け、該突起部により前記アルミフロントパネルの天井面を押圧するよ
うにしてなることを特徴とする請求項２に記載のアースプレートの取付構造。
【請求項４】
前記アースプレートの他端側を二股形状とし、該各他端に突起部を設け、該突起部によ
り前記トップカバーの天井面を押圧するようにしてなることを特徴とする請求項２又は請
求項３に記載のアースプレートの取付構造。
【請求項５】
前記アースプレートの一端に隣接して設けられた折り曲げ部が鈍角となるように開いた
構成とし、これにより前記アースプレートで前記フックを押さえつけるようにしてなるこ
とを特徴とする請求項２〜請求項４のいずれかに記載のアースプレートの取付構造。
【発明の詳細な説明】
【技術分野】
【０００１】
本発明は、ＡＶ機器等の電子機器における静電気対策、更には高周波シールドに用いら
れる、アースプレートの取付構造に関するものである。
【背景技術】
【０００２】
従来より、ＣＤ，ビデオ，ＤＶＤ等のＡＶ機器に代表される電子機器には、いわゆる静
電破壊を防止するための静電気対策（静電破壊防止対策）が施されている。静電破壊とは
、例えば電子機器の入力端子や操作ボタン等を指で触れると、人体に帯電した静電荷が電
子機器内部の回路基板の導電部に放電し、これにより半導体部品等が破壊されるといった
ものである。
【０００３】
このような静電破壊を防止するため、従来より、アース部材によりシャーシとフロント
パネルとの間を電気的に接続する構成が採られている。ところが、このようにシャーシと
フロントパネルとの間を電気的に接続するのみでは、静電破壊防止対策が不十分な場合が
あり、更には電子機器内部全体に対して高周波シールドを施すことが必要な場合もあるの
で、そのようなときにはフロントパネルとトップカバーとの間も電気的に接続する構成が
採られる。
【０００４】
その他、電子機器を静電気から保護するためのアース部材の部品数を減らし、同時に工
程を簡略にすることにより、製造コストを下げるようにした静電破壊防止装置が、特許文
献１に開示されている。また、アースプレートの立ち上がり面に飾り板方向への押圧を与
え、同押圧によりアースプレートの突片を飾り板の裏面に当接し、前記突片と前記飾り板
とを接触させて電気の導通を確実にさせるようにしたアースプレート取付構造が、特許文
献２に開示されている。
【特許文献１】特開２０００−２２３８５３号公報
【特許文献２】実開平３−５０７５６号公報
【発明の開示】
【発明が解決しようとする課題】
【０００５】
しかしながら、シャーシとフロントパネルとの間を電気的に接続する構成のみを有する
既存の機器に対して、新たな対策として上記フロントパネルとトップカバーとの間も電気
的に接続する構成を付加しようとする場合、そのアースプレートを取り付けるスペースの
確保が必要となる。この場合、フロントパネルに新規のアースプレートを取り付けるため
には、通常、フロントパネルの大幅な形状変更を余儀なくされ、設計検討や金型変更等に
時間が掛かり、コストアップとなる上に、製造時のトラブルの要因となるおそれがある。
【０００６】
また、上記特許文献１や特許文献２に記載のような構成では、シャーシ或いはフロント
パネルにアース部材を取り付けるための加工が別途必要であり、既存の機器に対する新た
な対策としてアースプレートを設ける場合には採用できない。本発明は、以上のような問
題点に鑑み、簡単な構成で、フロントパネルの形状を殆ど変更することなくこれに取り付
け可能である、アースプレートの取付構造を提供することを目的とする。
【課題を解決するための手段】
【０００７】
上記目的を達成するために、本発明では、樹脂フロントパネルの外側に嵌合するアルミ
フロントパネルと、該アルミフロントパネルの後方に連設されるトップカバーとを電気的
に接続するアースプレートの取付構造であって、前記アルミフロントパネルの天井面より
突設するリブと係合するべく、前記樹脂フロントパネルの前面側上端縁部より背面側へと
延びるフックの、その後方に設けた開口部を前記アースプレートが上側から下側へと通過
して、前記樹脂フロントパネルの背面側上端縁部にその一端が係合し、前記アースプレー
トが前記樹脂フロントパネルの背面側上端部を取り囲むようにして取り付けられ、前記ア
ースプレートの他端は、前記樹脂フロントパネルの背面側上端縁部から後方に向かって斜
め上方に突出することを特徴とする。
【０００８】
また、前記アースプレートの一端とこれに隣接して設けられた折り曲げ部との間に形成
された平面部に突起部を設け、該突起部により前記アルミフロントパネルの天井面を押圧
するようにしてなることを特徴とする。
【０００９】
また、前記アースプレートの他端側を二股形状とし、該各他端に突起部を設け、該突起
部により前記トップカバーの天井面を押圧するようにしてなることを特徴とする。
【００１０】
また、前記アースプレートの一端に隣接して設けられた折り曲げ部が鈍角となるように
開いた構成とし、これにより前記アースプレートで前記フックを押さえつけるようにして
なることを特徴とする。
【発明の効果】
【００１１】
本発明によれば、簡単な構成で、フロントパネルの形状を殆ど変更することなくこれに
取り付け可能である、アースプレートの取付構造を提供することができる。
【００１２】
具体的には、樹脂フロントパネルのフックの後方に設けた開口部をアースプレートが上
側から下側へと通過して、樹脂フロントパネルの背面側上端縁部にその一端が係合し、ア
ースプレートが樹脂フロントパネルの背面側上端部を取り囲むようにして取り付けられ、
アースプレートの他端は、樹脂フロントパネルの背面側上端縁部から後方に向かって斜め
上方に突出する構成としたことにより、従来の樹脂フロントパネルの形状を殆ど変更する
ことなく、アースプレートが取り付け可能となる。
【００１３】
また、アースプレートの一端とこれに隣接して設けられた折り曲げ部との間に形成され
た平面部に突起部を設け、その突起部によりアルミフロントパネルの天井面を押圧する構
成としたことにより、アースプレートとアルミフロントパネルとが確実に電気的に接触す
る。
【００１４】
また、アースプレートの他端側を二股形状とし、その各他端に突起部を設け、その突起
部によりトップカバーの天井面を押圧する構成としたことにより、トップカバーの取り付
けが容易になるとともに、樹脂フロントパネルの変形が抑制され、しかもアースプレート
とトップカバーとが確実に電気的に接触する。
【００１５】
また、アースプレートの一端に隣接して設けられた折り曲げ部が鈍角となるように開い
た構成とし、これによりアースプレートで樹脂フロントパネルのフックを押さえつけるよ
うにしたことにより、このフックがアルミフロントパネルのリブから外れなくなる。
【発明を実施するための最良の形態】
【００１６】
以下、本発明の実施の形態について、図面を参照しながら説明する。図１は、本発明の
実施形態における樹脂フロントパネルの背面側斜視図であり、同図（ａ）はアースプレー
トを取り付けない状態、同図（ｂ）はアースプレートを取り付けた状態を示している。同
図（ａ）に示すように、樹脂製の樹脂フロントパネル１には、その長手方向複数個所に、
前面側上端縁部より背面側へと延びるフック１ａが配設されている。
【００１７】
このフック１ａは、後述するアルミ製のアルミフロントパネルが樹脂フロントパネル１
の外側に嵌合する際に、アルミフロントパネル側のリブと係合して、樹脂フロントパネル
１とアルミフロントパネルを固定するものである。樹脂フロントパネル１の前面側上端面
には、フック１ａの周囲に開口部１ａａが設けてあり、これによりフック１ａがその前端
部（フロントパネル前面側端部）を中心として上下に撓むことができるようになっている
。
【００１８】
一方、同じく樹脂フロントパネル１には、その背面側上端縁部より前面側にかけて盛り
上がる隆起部１ｂが配設されている。この隆起部１ｂは、樹脂フロントパネル１の長手方
向でフック１ａより多い複数個所に設けられており、アルミフロントパネルの天井面を押
圧して確実に嵌合を行う働きを有する。また、フック１ａには必ず隆起部１ｂが対向する
ように配置されている。さらに、樹脂フロントパネル１背面側上端縁部でフック１ａに対
向する位置には、矩形状の切り欠き部１ｃが設けられている。この切り欠き部１ｃを設け
たことのみが、フロントパネルの従来からの変更点となっている。
【００１９】
さて、同図（ｂ）に示すように、樹脂フロントパネル１のフック１ａに対向する背面側
上端縁部には、アースプレート２が設けられている。これは、フック１ａ後方の開口部１
ａａを上側から下側へと通過してその一端が切り欠き部１ｃと係合し、樹脂フロントパネ
ル１の背面側上端部及び隆起部１ｂを取り囲むようにして取り付けられており、他端が背
面側上端縁部から後方に向かって斜め上方に突出している。なお、樹脂フロントパネル１
の前部内壁面上部より後方に突設する１ｄは、トップカバー取り付け位置をガイドするガ
イドリブである。
【００２０】
図２は、本発明の実施形態における組立状態のフロントパネルの背面側斜視図である。
同図に示すように、フロントパネルＦは、樹脂フロントパネル１の外側にアルミフロント
パネル３が嵌合した状態で組み立てられており、アースプレート２はフロントパネルＦの
背面側上端部近傍から後方に向かって斜め上方に突設している。このアースプレート２は
、後述するように、アルミフロントパネル３と電気的に接触しており、フロントパネルＦ
の長手方向で両端付近を含む複数個所（本実施形態では５個所）に設けられている。
【実施例１】
【００２１】
図３は、本発明の実施例１に係るアースプレートの取付構造を示す図であり、同図（ａ
）はフロントパネルに取り付けた状態の側面断面図、同図（ｂ）は背面図である。なお、
同図（ａ）ではトップカバー取り付け前のアースプレートの状態を実線で示し、取り付け
後の状態を破線で示している。同図に示すように、アースプレート２は、長板状をしたス
テンレス或いは鉄等の導電性を有する弾性部材より成り、これを長手方向に位置する数箇
所の折り曲げ部で同一方向に折り曲げ、側面視略渦巻状に形成したものである。
【００２２】
そして、アースプレート２の一端には側面視略Ｌ字状の折り曲げ部である係合部２ａが
形成されており、前述の如くアースプレート２がフック１ａ後方の開口部１ａａを上側か
ら下側へと通過してこの係合部２ａが切り欠き部１ｃと係合し、樹脂フロントパネル１の
背面側上端部及び隆起部１ｂを取り囲むようにして、アースプレート２が取り付けられて
いる。また、アースプレート２の他端はフロントパネルＦの背面側上端縁部近傍から後方
に向かって斜め上方に突出している。
【００２３】
アースプレート２の具体的な取り付け状態を説明すると、係合部２ａとこれに隣接して
設けられた側面視略Ｌ字状の折り曲げ部２ｂとの間に、樹脂フロントパネル１の背面側上
端部が嵌合することにより、アースプレート２が樹脂フロントパネル１に固定されること
となる。一方、係合部２ａと折り曲げ部２ｂとの間に形成された平面部の左右両端には、
側面視山形状の突起部２ｃが設けられており、それぞれ上方に突出している。
【００２４】
さて、前述のようにアースプレート２を設けた状態で、樹脂フロントパネル１の外側に
アルミフロントパネル３を嵌合させると、同図に示すように、樹脂フロントパネル１のフ
ック１ａが、アルミフロントパネル３の天井面より下方に突設するリブ３ａと係合し、ア
ルミフロントパネル３内に樹脂フロントパネル１が固定される。
【００２５】
このとき、アースプレート２の上記平面部が、樹脂フロントパネル１の隆起部１ｂによ
りアルミフロントパネル３の天井面に押し付けられ、更に前記平面部左右両端より上方に
突出する突起部２ｃが、その尖端にてアルミフロントパネル３の天井面を押圧するので、
この力がそれぞれ一点に集中することにより、アースプレート２とアルミフロントパネル
３とが確実に電気的に接触する。
【００２６】
この状態で、フロントパネルＦにトップカバー４が取り付けられる。具体的には、樹脂
フロントパネル１の前部内壁面上部より後方に突設するガイドリブ１ｄと、樹脂フロント
パネル１の背面側上端部との間に、トップカバー４の先端部が嵌合し、アルミフロントパ
ネル３の上面に対して、その後方にトップカバー４の上面がほぼ同一平面上で連設された
状態となる。
【００２７】
このとき、当初はアルミフロントパネル３の上面より上方に突出していたアースプレー
ト２の他端は、トップカバー４の天井面により押し下げられる。これにより、弾性を有す
るアースプレート２が主として折り曲げ部２ｂを中心として下方に撓むので、その反作用
により他端がトップカバー４の天井面を押圧し、アースプレート２とトップカバー４とが
電気的に接触する。以上により、アルミフロントパネル３とトップカバー４とが、アース
プレート２を介して電気的に接続される。この構成により、当該電子機器に対してより確
実な静電気対策及び高周波シールドを施すことができる。
【実施例２】
【００２８】
図４は、本発明の実施例２に係るアースプレートの取付構造を示す図であり、同図（ａ
）はフロントパネルに取り付けた状態の側面断面図、同図（ｂ）は背面図である。なお、
同図（ａ）ではトップカバー取り付け前のアースプレートの状態を実線で示し、取り付け
後の状態を破線で示している。本実施例では、上記実施例１の構成に加えて、同図に示す
ように、アースプレート２の一端に設けた係合部２ａを側面視略コの字状の折り曲げ部と
して、樹脂フロントパネル１の切り欠き部１ｃに確実に係合するようにしている。
【００２９】
また、アースプレート２下部の折り曲げ部２ｆから他端にかけて、内側部を削除した二
股形状としている。これにより、アースプレート２の弾性力が弱くなるので、トップカバ
ー４の取り付けが容易になるとともに、前記弾性力による樹脂フロントパネル１の変形が
抑制される。更に、二股に分かれたアースプレートの各他端には、それぞれ背面視山形状
の突起部２ｄが設けられ、上方に突出している。
【００３０】
そして、この２個所の突起部２ｄが、その尖端にてトップカバー４の天井面を押圧する
ので、この力がそれぞれ一点に集中することにより、確実にアースプレート２とトップカ
バー４とが電気的に接触する。以上により、アルミフロントパネル３とトップカバー４と
が、アースプレート２を介して電気的に接続される。この構成により、当該電子機器に対
してより確実な静電気対策及び高周波シールドを施すことができる。
【実施例３】
【００３１】
図５は、本発明の実施例３に係るアースプレートの取付構造を示す図であり、同図（ａ
）はフロントパネルに取り付けた状態の側面断面図、同図（ｂ）は変形例の要部側面断面
図である。なお、同図（ａ）ではトップカバー取り付け前のアースプレートの状態を実線
で示し、取り付け後の状態を破線で示している。
【００３２】
本実施例では、上記実施例２の構成に加えて、同図に示すように、上述したアースプレ
ート２の側面視略Ｌ字状即ち直角であった折り曲げ部２ｂを、鈍角となるように開いた構
成としている。そしてこれにより、トップカバー４の取付時にアースプレート２が折り曲
げ部２ｂを中心に撓んで、樹脂フロントパネル１のフック１ａを押さえつけ、これがアル
ミフロントパネル３のリブ３ａから外れないようにしている。
【００３３】
但し、アースプレート２の折り曲げ部２ｂを鈍角となるようにすると、アースプレート
２が樹脂フロントパネル１に対してガタつきやすく、また外れやすくなるので、これを防
止するために、アースプレート２の折り曲げ部２ｂ近傍に、後方に向かって切り起こされ
た切り起こし部２ｅを設けている。そして、この切り起こし部２ｅと係合部２ａとで樹脂
フロントパネル１の背面側上端部を挟み込むことにより、アースプレート２を固定してい
る。
【００３４】
なお、切り起こし部２ｅは、同図（ａ）に示すように、樹脂フロントパネル１の背面側
上端部前面に対して垂直に当接するように設けられる。或いは、同図（ｂ）に示すように
、切り起こし部２ｅが斜め上方に向くようにして、樹脂フロントパネル１の背面側上端部
前面に対して鋭角で当接させるようにすると、切り起こし部２ｅが樹脂フロントパネル１
に食い込むようになるので、アースプレート２が更に外れにくくなる。
【００３５】
図６は、本発明に係るアースプレートの具体例を示す図であり、同図（ａ）は平面図、
同図（ｂ）は側面図、同図（ｃ）は下面図、同図（ｄ）は背面図である。同図に示すよう
に、本例のアースプレート２は、二股形状であって、係合部２ａを側面視略Ｌ字状とし、
折り曲げ部２ｂは鈍角となるように開いており、その近傍に切り起こし部２ｅを設けた構
成となっている。つまり、本例は上記実施例１〜３を組み合わせたものであり、各実施例
の特長を生かした構成となっている。
【産業上の利用可能性】
【００３６】
本発明は、ＣＤ，ビデオ，ＤＶＤ等に限らず、アースを必要とするあらゆる機器に適用
可能である。
【図面の簡単な説明】
【００３７】
【図１】本発明の実施形態における樹脂フロントパネルの背面側斜視図。
【図２】本発明の実施形態における組立状態のフロントパネルの背面側斜視図。
【図３】本発明の実施例１に係るアースプレートの取付構造を示す図。
【図４】本発明の実施例２に係るアースプレートの取付構造を示す図。
【図５】本発明の実施例３に係るアースプレートの取付構造を示す図。
【図６】本発明に係るアースプレートの具体例を示す図。
【符号の説明】
【００３８】
１    樹脂フロントパネル
１ａ    フック
１ａａ    開口部
１ｂ    隆起部
１ｃ    切り欠き部
１ｄ    ガイドリブ
２    アースプレート
２ａ    係合部
２ｂ，２ｆ    折り曲げ部
２ｃ，２ｄ    突起部
２ｅ    切り起こし部
３    アルミフロントパネル
３ａ
Ｆ    フロントパネル
【図１】
2006302621.tif 000003
【図２】
2006302621.tif 000004
【図３】
2006302621.tif 000005
【図４】
2006302621.tif 000006
【図５】
2006302621.tif 000007
【図６】
2006302621.tif 000008